(57)【要約】  建築物構造体用の骨組である。この骨組は、壁部分が開口されている内部コア構造体および外部コア構造体という２つの構造体で構成される。各コア構造体は、中空の水平導管と垂直導管によって形成された六面直方体構造である。内部コア構造体は外部コア構造体よりも小さく、相互接続する中空導管ウェブがこれら２つのコアを繋いでいる。内部コアは外部構造体と異なる水平面上に配置してもよく、その場合、相互接続するウェブは一方のコアから他方のコアにかけて傾斜する。コアの導管は、給排水設備、配線、階段等の諸設備のシステムを収容するのに必要な寸法を有する。壁、窓、扉をコア構造体に取付けて、用途に適した住宅用または商業用空間を得てもよい。
2015514170.tif 000002
【特許請求の範囲】
【請求項１】
自立型構造体用のデュアルコア支持構造体であって、前記デュアルコア支持構造体は、
内部コアと、
外部コアと、
コアを接続する導管とを備え、
各コアは六面構造であり、前記六面構造は、相互接続されることによって直方体の外形を有する開放六面体を形成する中空の垂直導管および水平導管によって形成され、
前記内部コアは前記外部コアの中に嵌められており、相互接続する前記導管は前記内部コアの中空の導管と前記外部コアの中空の導管を接続する、デュアルコア支持構造体。
【請求項２】
前記外部コアは外側の境界を定め、前記内部コアは内側の境界を定め、
前記内側の境界の水平面および垂直面が前記外側の境界の水平面および垂直面よりも小さくそれらに対して平行であるように、かつ、相互接続する前記導管が前記外部コアから前記内部コアまで傾斜するように、前記内部コアは大きさが前記外部コアよりも小さく前記外部コアの中に嵌められている、請求項１に記載のデュアルコア支持構造体。
【請求項３】
前記外部コアは外側の境界を定め、前記内部コアは内側の境界を定め、
前記内部コアが前記外部コアの中に嵌められるようにかつ前記外部コアと前記内部コアの間の相互接続する前記導管が水平面上に位置するように、前記内側の境界の水平導管は前記外側の境界の水平導管よりも小さい、請求項１に記載のデュアルコア支持構造体。
【請求項４】
前記導管は、諸設備のシステムを収容するのに必要な寸法を有する、請求項１に記載のデュアルコア支持構造体。
【請求項５】
前記垂直導管のうちの１つ以上は、階段を収容するのに必要な寸法を有する、請求項１に記載のデュアルコア支持構造体。
【請求項６】
前記内部コアおよび前記外部コアは鉄筋コンクリートで構成される、請求項１に記載のデュアルコア支持構造体。
【発明の詳細な説明】
【技術分野】
【０００１】
背景情報
発明の分野
本発明は、構造体用の支持システムの分野に関する。より具体的には、本発明は、住宅用、商業用、産業用、およびその他の種類の構造体を支持するための骨組に関し、この支持システムは、諸設備のシステムおよび収納用の空間も提供する。
【背景技術】
【０００２】
先行技術の説明
ほとんどの従来の構造体は、住宅用であっても、商業用であっても、または産業用であっても、一般的に、荷重を支える支持システム、すなわち壁および屋根を支持する骨組を有する。たとえば電気配線、給排水設備、暖房、および換気等の諸設備のシステムは、荷重を支える支持システムから完全に独立して構造体に組込まれており、一般的には構造体の壁の中に組込まれている。このような構成の短所は、配線、給排水、およびその他のシステムが壁の中に埋込まれているときに、これらのシステムにその交換または修理のためにアクセスするのが難しいことである。
【０００３】
したがって、必要なものは、諸設備のシステム用の空間を中に組込んだ一体型の構造体用骨組である。
【発明の概要】
【０００４】
本発明は、構造体用の荷重を支える骨組を提供するための、かつそれと同時にさまざまなインフラストラクチャーシステムおよび収納用の空間を提供するための、構造体コアである。
【０００５】
構造体コアはデュアルコアシステムである。このデュアルコアシステムは、構造体の外殻の境界と内部コアの境界を与えることによって、インフラストラクチャーシステムおよび収納場所へのアクセスを提供する。以下で使用する「構造体」という用語は、任意の種類の独立型構造体を含み、たとえば、住宅用、商業用、産業用建築物、車庫、移動する構造体等であるが、これらに限定されない。
【０００６】
本発明に従う構造体は、内部コアと外部コアとを有する。各コアは六面構造であり、この六面構造は、相互に接続されることによって直方体の外形を有する開放された本体を形成する中空の導管によって形成され、この本体の外周は導管によって定められ、本体のそれ以外の場所は開放空間を有する。本明細書で使用する「直方体」という用語は、６つの面を有し隣接する面と面の間の角度がすべて直角である立体を含む。
【０００７】
導管は、大きな中空体であり、インフラストラクチャーシステムを収容するのに必要な寸法を有する。インフラストラクチャーシステムは、暖房、冷房、および換気システム、オイルタンク、給湯器、電気および通信配線、給排水設備、冷凍庫または冷蔵庫等の貯蔵設備、ならびに梯子、階段、またはエレベータ等の移送装置およびシステム等であるが、これらに限定されない。導管は、その中で人が移動できるようにする寸法を有することが好ましい。たとえば、水平導管は通路または廊下として機能させてもよく、傾斜している導管は階段室として機能させてもよく、垂直導管はエレベータまたは梯子室を収容してもよい。収納棚または台を導管の内壁に取付けてもよい。その寸法は、導管内に通路のための空間を残して大型の家具を一台導管の中で保管し得る寸法であってもよい。導管が相互に接続されているシステムであるため、配線、給排水設備、暖房、および換気手段を、壁および床に穴を開けずに、構造体のさまざまな領域において再構成することができる。この構想によって、設備およびシステムを、これらが必要な場所の近くに配置できる。たとえば水タンクは、台所または浴室の近くの導管に配置してもよい。
【０００８】
外壁、扉、窓、屋根を外部コアに組込みまたは取付け、内部の床および壁を内部コアと外部コアに取付けてもよい。
【０００９】
構造体コアを部分的に地面の中に埋めて、地面よりも下にあるそれぞれの導管に地下の諸設備が入るようにしてもよい。
【００１０】
添付の図面を参照しながら本発明について説明する。図面における同様の参照番号は同一のまたは機能的に類似する要素を示す。図面は一律の縮尺で描かれていない。
【図面の簡単な説明】
【００１１】
【図１】本発明に従う構造体コアの斜視図である。
【図２】構造体コアの前面平面図である。
【図３】構造体コアの上面平面図である。
【図４】構造体コアの角から真っ直ぐに見たときの構造体コアの立面平面図である。
【図５】交差するコア導管の部分破断図である。
【図６】一部が地中に埋められた構造体コアの模型を示す。
【図７】構造体コアの模型である。
【図８Ａ】本発明に従う構造体コアの第２の実施の形態の上面平面図である。
【図８Ｂ】第２の実施の形態の立面図である。
【図９Ａ】構造体コアを対角線に沿って切った平面断面図である。
【図９Ｂ】図９Ａの等角図である。
【図１０Ａ】オープンエンドの導管を示す、構造体の上面からの図である。
【図１０Ｂ】図１０Ａの等角図である。
【発明を実施するための形態】
【００１２】
発明の詳細な説明
次に、本発明の好ましい実施の形態が示される添付の図面を参照しながら本発明をより詳細に説明する。しかしながら、本発明は、本明細書に記載の実施の形態に限定されると解釈されてはならず、実施の形態はむしろ、この開示を完全なものとし本発明の範囲を当業者に十分に伝えるために提供される。
【００１３】
図１〜図７および図９Ａ〜図９Ｂは、本発明に従う構造体コア１００を示す。構造体コア１００の目的は、たとえば住宅用、商業用、または産業用建築物といった構造体用の、荷重を支える骨組を提供することであり、この骨組は、この構造体のさまざまな諸設備のシステムを収容または収納するための、容易にアクセス可能な内部空間も提供する。構造体コア１００は内部コア１０と外部コア２０とを含む。各コア１０、２０の境界はそれぞれコア導管１１、２１によって定められる。これらの導管は、各コアの中で相互に接続されることによって正四角柱または長方柱、すなわち立方体または直方体の外形を形成する。各コア１０、２０の６つの面は各々、導管１１および２１の内周によって囲まれた開放空間１２、２２を有する。内部および外部コア１０、２０は、相互接続ウェブシステム３０によって互いに接続され、このウェブシステムは、外部コア２０の開放空間２２を通って延び外部コア２０の高さから内部コア１０の高さへの移行部分を与える傾斜導管３１を含む。
【００１４】
図５および図９Ａ〜図１０Ｂは、コア導管１１、２１、および３１を示す、構造体コア１００の部分破断図である。図９Ｂは、どのように導管が交差して連続通路をなしているかを特に良く示している。導管１１、２１、３１はそれぞれ内部空間１３、２３、３３を与え、各内部空間は隣の導管の内部空間と連通している。したがって、たとえば、すべての配線および給排水設備が導管の中にあり、特定のシステムへのアクセスが、便利な場所にある導管１１、２１、３１のうちのうちの１つ以上のアクセスポイントでなされるようにしてもよい。
【００１５】
当然、導管１１、２１、および３１の寸法は、構造体コア１００の周りに建築する予定の構造体の用途によって決まる。たとえば、住宅用の構造体の場合、導管の寸法は、暖房、冷房、電気、給排水設備、およびその他の諸設備のシステム、ならびに階段またはエレベータおよび収納スペースを収容するのに必要な寸法となるように定められる。住宅用構造体の実施の形態では、導管１１、２１、および３１は、コンクリートで構成されてもよく、その内寸が２×２メートルまたは７×７フィートまたはその他の適切な寸法であってもよい。提案するこれらの寸法は、ほとんどの暖房、空調、換気、冷蔵、真空引き器具等を収容するのに十分な大きさでありながら、その周りの通路、または、梯子もしくは小さな階段を設けるスペースを提供する。
【００１６】
図６は、外部コア２０の下側の境界が地中に埋められている構造体コア１００を示す。構造体コア１００を、たとえば住宅用、商業用、または産業用建築物に使用するとき、構造体コア１００の下部分を地面よりも下に配置することによって、地面よりも下にある適切な導管に地下の諸設備が入るようにすることが好ましい。
【００１７】
図７は、図１に示される構造体コア１００の上からの斜視図である。この構造体コアの模型は鋼鉄で構成されたものであるが、上記のように、構造体コアに使用される材料はコンクリートまたは鉄筋コンクリートであることが多い。材料の選択は当然この構造体の用途によって決まるであろう。
【００１８】
ここで提供する図はデュアルコア支持構造体１００を示しており、この構造体の内部では、内部コア１０が外部コア２０の境界の中で支持されており、そのため、傾斜路、梯子、階段等の昇降手段を、水平導管２１によって定められる高さから水平導管１１によって定められる高さまで動かす必要がある。この高さの変化は、地下室の高さと屋根裏の高さを有することが有用であるまたは好都合である建築物では望ましい。
【００１９】
図８Ａおよび図８Ａは、デュアルコア支持構造体２００の第２の実施の形態を示し、この構造体内において内部コア１０の高さ寸法と外部コア２０の高さ寸法は同一である。場合によっては、構造体の中にさまざまな高さを設ける必要がなくこれらのコアが１つの下側の境界と１つの上側の境界を定める一層単純な構造体が必要であることがある。この場合、接続導管３１は傾斜しておらず水平である。
【００２０】
外壁、扉、窓、および屋根を外部コア２０に取付け、内壁を、内部コア１０に取付け、内部コアと外部コアの間に取付けてもよい。
【００２１】
壁および屋根に使用される材料次第で、内部コアの中に立っている人から、すべての側壁を通しかつ屋根を通して、妨げられることなく外を見ることができる、本発明に従う構造体コア１００を有する建築物を構成することが可能である。たとえば、内部コア１０の上面を覆う屋根の少なくとも中央部分と外壁の少なくとも一部とに透明材料を使用すれば、このように構成された構造体には周囲光が透明材料を通して入ってくるので、照明の必要性が大幅に減少するであろう。
【００２２】
本明細書に記載の実施の形態は本発明を説明しているにすぎない。構造体コアの構造の変形例は、本明細書に開示され以下の請求項によって定められる本発明の意図する範囲を限定することなく、当業者によって予測され得るものである。
【図１】
2015514170.tif 000003
【図２】
2015514170.tif 000004
【図３】
2015514170.tif 000005
【図４】
2015514170.tif 000006
【図５】
2015514170.tif 000007
【図６】
2015514170.tif 000008
【図７】
2015514170.tif 000009
【図８Ａ】
2015514170.tif 000010
【図８Ｂ】
2015514170.tif 000011
【図９Ａ】
2015514170.tif 000012
【図９Ｂ】
2015514170.tif 000013
【図１０Ａ】
2015514170.tif 000014
【図１０Ｂ】
2015514170.tif 000015
【国際調査報告】
2015514170.tif 000016
2015514170.tif 000017